(57)【要約】【解決課題】  磁石の動きによって決まった動作を繰り返すだけの単調な玩具の遊戯における魅力をより向上させるための機構を備えた玩具を提供する。【解決手段】  基台に対して飾部を設けた玩具であって、前記基台は、第１の磁性体と、この磁性体を移動させる駆動源と、光源と、前記駆動源の駆動動作を前記光源の往復動に変換する変換機構と、を備え、前記飾部は、前記光源からの光がそれぞれ導入される複数の導光部を備えた主飾体と、第２磁性体を備える副飾体とを備え、さらに、前記導光部の各入光端部がそれぞれ区分けされた状態で、前記光源に臨む位置に設けられてなる。【選択図】  図１
2005143912.tif 000002
【特許請求の範囲】
【請求項１】
基台に対して飾部を設けた玩具であって、
前記基台は、第１の磁性体と、この磁性体を移動させる駆動源と、光源と、前記駆動源の駆動動作を前記光源の往復動に変換する変換機構と、を備え、
前記飾部は、前記光源からの光がそれぞれ導入される複数の導光部を備えた主飾体と、第２磁性体を備える副飾体とを備え、さらに、
前記導光部の各入光端部がそれぞれ区分けされた状態で、前記光源に臨む位置に設けられてなる玩具。
【発明の詳細な説明】
【技術分野】
【０００１】
本発明は、玩具に係わり、特に複数の磁石を備え、一部の磁石を動かして磁界を変化させ、この磁界の変化を他の磁石の動きに変換する現象を利用して遊戯効果を持たせた玩具に関するものである。
【背景技術】
【０００２】
この種の玩具として、例えば、特開２００１―３２７７６８号公報に記載されたものが存在する。このものは、同公報の図１に示されているように、（イ）玩具 本体３の内部に、モータ４とこれに作動連結する出力軸６とが密閉された容器８内に収納配置され、上記出力軸６の端部には第１の磁石７ａが固定され、第１の磁石７ａは上記容器８の側壁の近傍に配置され、上記容器８の外側には、上記第１の磁石７ａに上記側壁をはさんで対向する位置に第２の磁石７ｂが回転自在に配置され、第２の磁石７ｂには駆動手段が連結されている構成を備えることにより、第１の磁石がモータによって回転すると、第２の磁石が第１の磁石の磁界の変化に追従して回転することになる。
【０００３】
さらに、実用新案登録第３０３４７９４号公報には、揺動体に羽ばたきのような揺動動作を確実にさせることが可能な揺動玩具を提供するために、本体に、互いに噛合する一対のピニオン歯車と、一方の前記ピニオン歯車の偏心位置に付設され該ピニオン歯車と一体的に動作する永久磁石と、前記一対のピニオン歯車のそれぞれに付設され該ピニオン歯車のそれぞれと一体的に動作する揺動体とが設けられ、これら揺動体を、外部磁石の動作による前記磁石への磁力作用によって、前記揺動体を揺動させるように構成された玩具が記載されている。
【特許文献１】特開２００１―３２７７６８号公報
【特許文献２】実用新案登録第３０３４７９４号公報
【発明の開示】
【発明が解決しようとする課題】
【０００４】
従来のこの種の玩具では、磁石の動きによって決まった動作を繰り返すだけの単調なものに留まっていた。そこで、この発明は、この種の玩具において、遊戯における魅力をより向上させるための機構を備えた物を提供することを目的とするものである。
【課題を解決するための手段】
【０００５】
前記目的を達成するために、本発明は、基台に対して飾部を設けた玩具であって、前記基台は、第１の磁性体と、この磁性体を移動させる駆動源と、光源と、前記駆動源の駆動動作を前記光源の往復動に変換する変換機構と、を備え、前記飾部は、前記光源からの光がそれぞれ導入される複数の導光部を備えた主飾体と、第２磁性体を備える副飾体とを備え、さらに、前記導光部の各入光端部がそれぞれ区分けされた状態で、前記光源に臨む位置に設けられてなることを特徴とするものである。
【０００６】
本発明によれば、第１の磁性体が回転・往復等の移動をすると磁界が変化し、これが第２の磁性体に影響して、第２の磁性体を持つ副飾体が第１の磁性体の動き、例えば回転に合わせて揺動、或いは振動、或いは往復動などの挙動をする。さらに、光源が移動・挙動すると、各入光端部から各導光部へ供給される光量が周期的に変化し、各導光部において導光部が光るタイミングが周期的に変化する。
【発明の効果】
【０００７】
本発明によれば、副飾体の挙動を周期的に変化させるための第１の磁性体に対する駆動源の駆動動作を利用して、各導光部へ供給される光量を周期的に変化させることができるために、新たな駆動源を設けることなく、光の変化という趣向を新たに付加してなる玩具を提供することができる。
【発明を実施するための最良の形態】
【０００８】
図１は本発明の全体図を示している。メインテーブル１０上に基台１１が固定されている。この基台は球形をなし中心線１８で二分割１２Ａ，１２Ｂされ、上体１２Ａを下体１２Ｂから取り外すことができる。
【０００９】
飾部は、根部１７とこの根部と一体になった樹木模型１３とからなる。根部１７は上体１２Ａに着脱自在に構成されている。樹木模型(飾部)は３本の枝部１４Ａ−１４Ｃ（導光部）と、枝に垂下するように接続された木の実部１６とから構成されている。木の実部１６は揺動可能に枝部１４Ａ−１４Ｃに接続されている。枝部が主飾体を成し、木の実部が副飾部を成す。
【００１０】
木の実部１６は、木の実状のケースと、このケース内の小幅の円筒状永久磁石(第２磁性体)とからなる。後述のように、基台１１中の第１磁石が動くことによって磁界が変化し、これに追従して第２磁性体が動き、木の実部１６のケースが枝にぶら下りながら矢印のように揺れて動く様子が作られる。
【００１１】
枝部は導光性プラスチックを成形したものから構成されている。図２は上体１２Ａを基台内部から見た様子を示す平面図である。根部１７に枝部１４Ａ−１４Ｃそれぞれが植設されており、かつ根部にそれぞれの端部（入光端部）が形成されている。この端部から入射された光が枝部内に導かれて枝部が照明される。
【００１２】
図３乃至図７は、基部１１の下体１２Ｂ内に置かれた、第１磁性体及び光源の駆動機構を示す図である。図３はその斜視図であり、図４は駆動機構の裏から見た斜視図であり、図５は駆動機構の平面図であり、図６は駆動機構の背面図であり、図７は駆動機構の正面図である。図３乃至図７を用いて駆動機構を詳細に説明する。
【００１３】
符号３８は基板であり、この基板上にはモータ３０が固定されている。符号４２はモータ３０の回転によって回転するロータである。このロータの中心から偏心した位置に小円筒軸４０Ｂが設けられ、この軸に対して小幅円筒状ケース３６がロータ４２と直交する方向に設けられている。ロータ４２、小円筒軸４０Ｂ及び円筒状ケース３６は一体に形成されてなり、軸ケース４０Ｂが回転すると円筒状ケース３６が回転し、これに伴いロータ４２も回転する。円筒状ケース内には小幅円筒状の永久磁石３６Ａ（第１磁性体）が収納されている。
【００１４】
符号４０は馬蹄形状の揺動体である。ロータの中心から偏心した位置に回転軸ケース４０Ｂがあるために、回転軸４０Ｂが回転するとロータ４２がカム駆動し、揺動体４０の馬蹄形領域を図３及び図５の矢印の方向に往復動させる。符号３２は揺動体４０揺動中心であり、符号３４はＬＥＤを備える光源である。
【００１５】
前記モータ３０の回転は減速機構を介して軸４０Ｂ、そしてロータ４２へ伝達される。符号４４はモータ３０の基板背面側に設けられた、モータに直結された小プーリであり、符号４６はベルト４８（図６参照）を介して小プーリ４４に連結される大プーリである。
【００１６】
図７にも示すように、この大プーリ４４の回転は、この大プーリと同軸に形成された小歯車４５を介して、大歯車５０に伝達される。大歯車５０の回転はこれと一体になった小歯車５１に伝達され、この小歯車５１の回転が別軸５７Ａにある大歯車５４に伝達される。なお、回転中心軸５６に対して、大歯車５０及び小歯車５１はフリーになっている。
【００１７】
大歯車５４には同軸に小歯車５７が一体になっており、小歯車５７の回転が別軸５６と一体に回転する大歯車５２に伝達される。軸５６は前記ロータ４２の回転軸４０Ｂに対して固定されている。したがって、モータ３０が回転すると、その回転は減速機構を介して大歯車５２に伝達され、次に、ロータをして軸４０Ｂ(５６)を中心にして回転させる。
【００１８】
ロータ４２の中心から外れた位置に軸４０Ｂ(５６)が存在することによりロータ４２はカム駆動する。これに伴い、馬蹄形体４０が図３及び図５の矢印に示す方向に往復動する。符号３４は内部にＬＥＤの光源を備える煙突状の部材であり、これは馬蹄形の揺動体４０と一体になっている。
【００１９】
光源３４の直近上部には図２に示す、根部１７の導光部１４Ａ−１４Ｃの各入光端部が臨んでおり、光源３４の往復動に合わせて各入光端部から入光される光量が周期的に大小変化する。この結果、図１に示す枝部１４Ａ−１４Ｃの発光光度が順番かつ周期的に変化する。一方、磁石３６Ａも回転していることにより磁界がその回転毎に変化し、この変化に追従、同調、協調、或いは連動して第２磁性体を備える木の実部１６（図１参照）も周期的に動く。したがって、木の実部１６の周期的な動作に同期して枝部１４Ａ−１４Ｃの光量も変化することになる。
【００２０】
以上説明した実施形態は本発明を限定するものではなく、実施形態を適宜変更することが可能である。例えば、木の実部（副飾体）を枝部（主飾体）に接続するようにしたが、副飾体を主飾体から離間させてメインテーブル１０の窪み部１０Ａに置くようにしても良い。主飾体も枝状に限られる事無く、ビル模型、タワー模型等でも良い。また、木の実部(花部であっても良い。)と第１磁性体との距離、木の実部と枝部とを接続する接続素材の材質や強度、第１磁性体及び第２磁性体の磁力強度を適宜調整することによって、木の実部が枝に下がって自然に揺れる、例えば微風で揺れるような動きを作ることができる。
【図面の簡単な説明】
【００２１】
【図１】本発明に係わる玩具の全体を示す斜視図である。
【図２】基台の上半分を内部から見た平面図である。
【図３】第１磁性体及び光源の駆動機構の斜視図である。
【図４】同機構を裏から見た斜視図である。
【図５】同駆動機構の平面図である。
【図６】同駆動機構の背面図である。
【図７】同機構の駆動機構の正面図である。
【符号の説明】
【００２２】
１１：基台、１４Ａ―１４Ｃ：導光部、１６：第１磁性体、３０：モータ、３６：第２磁性体
【図１】
2005143912.tif 000003
【図２】
2005143912.tif 000004
【図３】
2005143912.tif 000005
【図４】
2005143912.tif 000006
【図５】
2005143912.tif 000007
【図６】
2005143912.tif 000008
【図７】
2005143912.tif 000009